(57)【特許請求の範囲】
【請求項１】
それぞれの端末機器ユニット端子端を有する複数のデジタルおよびアナログ端末機器ユニットと、デジタルＰＢＸ端子端およびアナログＰＢＸ端子端を有する、構内交換機（ＰＢＸ）と、ＵＰＮプロトコルデジタル信号およびアナログ電話信号を伝送するためにデジタルおよびアナログ端末機器ユニット端子端を前記デジタルＰＢＸ端子端および前記アナログＰＢＸ端子端に接続するよう構成された、複数の２線バスとを有する、顧客構内電話ネットワークにおいて、ローカルエリアネットワークを実現する方法であって、前記方法は、
各々が前記ＵＰＮプロトコルデジタル信号を通過させかつローカルエリアネットワーク信号を排除するよう構成されたローパスフィルタを、各デジタルＰＢＸ端子端と、対応する２線バスの各デジタル端末機器端子端とに接続するステップを含み、各２線バスは、対応するデジタルＰＢＸ端子端に接続され、対応する２つの接続された前記ローパスフィルタ間に第１のノードを有し、前記方法はさらに、
前記ローカルエリアネットワーク信号を通過させかつ前記ＵＰＮプロトコルデジタル信号を排除するよう構成された第１のハイパスフィルタを、対応する前記デジタルＰＢＸ端子端に接続された前記２線バスのうち各々のバスの対応する前記第１のノードにわたり、接続するステップと、
前記ローカルエリアネットワーク信号を通過させかつ前記アナログ電話信号を排除するよう構成された第２のハイパスフィルタを、前記第１のハイパスフィルタと、前記アナログＰＢＸ端子端のうち１つに接続された前記２線バスのうち少なくとも１本との間に、接続するステップと、
対応する前記第１のノードで前記デジタルＰＢＸ端子端に結合された前記２線バスの１本の上の第１のネットワークノードから、前記アナログＰＢＸ端子端のうち１つに接続された前記２線バスのうち別のバスに結合された第２のネットワークノードに、前記ローカルエリアネットワーク信号を伝送するステップとを含む、方法。
【請求項２】
ローパスフィルタを接続する前記ステップは、各ローパスフィルタの−３ｄＢの遮断周波数を約２ＭＨｚまでの周波数に設定するステップを含む、請求項１に記載の方法。
【請求項３】
前記第１および第２のハイパスフィルタを接続する前記ステップは、前記ローカルエリアネットワーク信号を通過させかつ前記ＵＰＮプロトコルデジタル信号を排除するために、前記第１および第２のハイパスフィルタの−３ｄＢ遮断周波数を少な
くとも約２ＭＨｚの周波数に設定するステップを各々含む、請求項２に記載の方法。
【請求項４】
前記伝送ステップは、前記第１のネットワークノードから、前記第２のネットワークノードまで、約１００ｍの距離にわたり、前記ローカルエリアネットワーク信号を伝送するステップを含む、請求項３に記載の方法。
【請求項５】
それぞれのアナログＰＢＸ端子端に接続された２本の２線バス間に別の第１のハイパスフィルタを接続するステップをさらに含む、請求項１に記載の方法。
【請求項６】
前記第１のハイパスフィルタを接続する前記ステップは、
第１に、第１および第２の接続キャパシタの第１の端部を、対応するデジタルＰＢＸ端子端のための対応する２線バスのそれぞれの第１および第２の線に結合するステップと、
第２に、第１および第２のフィルタノードをそれぞれ形成するために前記第１および第２のキャパシタの第２の端部を、インダクタのそれぞれの端子端に結合するステップと、
対応するデジタルＰＢＸ端子端のための各々の対応する２線バスにつき前記第１および第２の結合ステップを繰返すステップとを含む、請求項５に記載の方法。
【請求項７】
前記第２のハイパスフィルタを接続する前記ステップは、
前記第２のハイパスフィルタの第１の端部を、前記第１および第２のフィルタノードの前記それぞれの端子端に接続するステップと、
前記ハイパスフィルタの第２の端部を前記別の第１のハイパスフィルタにあるインダクタのそれぞれの端部に接続するステップとを含む、請求項６に記載の方法。
【請求項８】
前記ローパスフィルタを接続する前記ステップと、前記第１および第２のハイパスフィルタを接続する前記ステップとは、前記ＰＢＸおよび前記端末機器ユニットにより誘起され、対応する前記２線バス上の前記ローカルエリアネットワーク信号により遭遇されるインピーダンスと一致したインピーダンスを有するように、前記ローパスフィルタと、前記第１および第２のハイパスフィルタとを構成するステップをそれぞれ含む、請求項６に記載の方法。
【請求項９】
コンピュータネットワークであって、
ＵＰＮプロトコルデジタル電話信号を送受信するよう構成されたデジタルＰＢＸ端子端、およびアナログ電話信号を送受信するよう構成されたアナログＰＢＸ端子端を有する、構内交換機（ＰＢＸ）と、
前記ＵＰＮプロトコルデジタル電話信号を送受信するよう構成されたデジタル端末機器ユニットと、
前記アナログ電話信号を送受信するよう構成されたアナログ端末機器ユニットと、
前記デジタル端末機器ユニットおよび前記アナログ端末機器ユニットを、それぞれ前記デジタルＰＢＸ端子端および前記アナログＰＢＸ端子端に接続するよう構成された複数の２線バスと、
前記ＵＰＮプロトコルデジタル電話信号を通過させかつコンピュータネットワーク信号を排除するよう構成され、前記デジタル端末機器ユニットおよび前記デジタルＰＢＸ端子端を接続する前記２線バスの各々の端部に結合された、ローパスフィルタと、
前記２線バスのいずれか１本に接続されたネットワークノード間で前記コンピュータネットワーク信号を通過させるために、前記２線バスを相互接続するよう構成された、ハイパスフィルタとを含む、コンピュータネットワーク。
【請求項１０】
前記ローパスフィルタおよび前記ハイパスフィルタの各々は、前記ＰＢＸおよび前記端末機器ユニットにより誘起され対応する前記２線バス上の前記ローカルエリアネットワーク信号により遭遇されるインピーダンスと一致したインピーダンスを有するように構成される、請求項９に記載のコンピュータネットワーク。
【請求項１１】
前記２線バスは、前記ネットワークノードのいずれの間においても約１００ｍまでの最大距離をもたらすように、前記ＰＢＸとともに構成される、請求項１０に記載のコンピュータネットワーク。
【請求項１２】
各ローパスフィルタは、約２ＭＨｚまでの−３ｄＢの遮断周波数となるように、対称に構成される、請求項９に記載のコンピュータネットワーク。
【請求項１３】
前記ハイパスフィルタは、前記ＵＰＮプロトコルデジタル電話信号を排除するために少なくとも約２ＭＨｚでの−３ｄＢの遮断周波数となるように、対称に構成される、請求項１２に記載のコンピュータネットワーク。
【請求項１４】
前記ハイパスフィルタは、
ハイパスフィルタの第１の組を含み、前記第１の組は、（１）第１および第２のインダクタ端子端を有する第１のインダクタと、（２）対応するデジタルＰＢＸ端子端のための各２線バスのための第１および第２の接続キャパシタとを有し、前記第１および第２の接続キャパシタは、対応する前記２線バスの第１および第２の線をそれぞれ前記第１および第２のインダクタ端子端に接続するよう構成され、前記ハイパスフィルタはさらに
ハイパスフィルタの第２の組を含み、前記第２の組は、（１）第３および第４のインダクタ端子端を有する第２のインダクタと、（２）対応するアナログＰＢＸ端子端のための各２線バスのための第３および第４の接続キャパシタとを有し、前記第３および第４の接続キャパシタは、対応する前記２線バスの第１および第２の線を、それぞれ前記第３および第４のインダクタ端子端に接続するよう構成され、前記ハイパスフィルタはさらに
第３のハイパスフィルタを含み、前記第３のハイパスフィルタは、第１のフィルタ端子端と、第２のフィルタ端子端とを有する第３のインダクタと、前記第１のフィルタ端子端を前記第１および第２のインダクタ端子端に接続するための第５の接続キャパシタと、前記第２のフィルタ端子端を前記第３および第４のインダクタ端子端に接続するための第６の接続キャパシタとを有する、請求項９に記載のコンピュータネットワーク。
【発明の詳細な説明】
【０００１】
【発明の分野】
この発明はネットワークインターフェイスに関し、より特定的には、電話回線媒体に接続されたネットワークステーション間でのデータ伝送を制御するための方法およびシステムに関するものである。
【０００２】
【背景技術】
ローカルエリアネットワークでは、ネットワークケーブルまたはその他の媒体を用いてネットワーク上のステーションをリンクする。各ローカルエリアネットワークアーキテクチャは、各ステーションでのネットワークインターフェイスカードが媒体へのアクセスを共有することを可能にする、メディアアクセス制御装置（ＭＡＣ）を用いる。
【０００３】
従来のローカルエリアネットワークアーキテクチャでは、１０ＢＡＳＥ−Ｔなどの所定のネットワーク媒体を用いる半二重または全二重のイーサネット（Ｒ）（ＡＮＳＩ／ＩＥＥＥ規格８０２．３）プロトコルに従って動作するメディアアクセス制御装置を用いる。より新しいオペレーティングシステムでは、ネットワークステーションがネットワークの存在を検出できることが必須である。イーサネット（Ｒ）１０ＢＡＳＥ−Ｔ環境では、ネットワークは物理層（ＰＨＹ）送受信機によるリンクパルスの伝送によって検出される。１０ＢＡＳＥ−Ｔ媒体上の周期的リンクパルスはＰＨＹ受信機によって検出され、ＰＨＹ受信機は、周期的リンクパルスの検出に基づいて、ネットワーク媒体上で伝送を行なっている別のネットワークステーションの存在を判断する。したがってステーションＡのＰＨＹ送受信機は、データパケットを送受信することなしに、１０ＢＡＳＥ−Ｔ媒体上のリンクパルスをステーションＢのＰＨＹ送信機から受信することによってステーションＢの存在を検出できる。
【０００４】
１０ＢＡＳＥ−Ｔなどの確立したローカルエリアネットワーク媒体の代わりに、従来の撚り対電話回線を用いてコンピュータ同士をリンクすることを可能にするアーキテクチャが開発されてきた。ここでホームネットワーク環境と呼ぶそのような構成には、ホームネットワーク環境を実現するために、家庭にある既存の電話配線を用い得るという利点がある。しかしながら、電話回線はたとえば調光スイッチ、家電製品の変圧器などの、家庭にある電気機器により引き起こされるスプリアス雑音のため、本来的に雑音が多い。これに加え撚り対電話回線は、標準的なＰＯＴＳ電話からのオンフックおよびオフフックならびに雑音パルスからの、さらに暖房システムおよび空調システムなどの電気システムからの、ターンオン過渡を被る。
【０００５】
電話配線ネットワークのさらなる問題は、伝送された波形の信号状態（すなわち形状）が配線トポロジーに大きく依存することである。撚り対電話回線媒体における数多くの分岐接続と、それに付随する分岐接続の異なった長さとにより、伝送されたネットワーク信号上に多数の信号反射が引起こされ得る。電話配線トポロジーでは、１つのネットワークステーションからのネットワーク信号が１０ミリボルトから２０ミリボルトのオーダのピーク間電圧を有することがあり、その一方で別のネットワークステーションからのネットワーク信号は１ボルトから２ボルトのオーダの値を有することもあり得る。それゆえ、受信されたパルスの振幅と形状は、送信されたクロックまたは送信データを受信されたパルスから回復することが実質的に困難になるほど歪み得る。
【０００６】
ヨーロッパ電話システムが遭遇するさらなる問題は、ネットワーク・ターミネーション・ベーシック・アクセス（network termination basic access）（ＮＴＢＡ）機器の使用に関わるものであり、これは統合サービスデジタルネットワーク（ＩＳＤＮ）ベースの信号を伝送するための、顧客構内と公衆交換電話網の中央局との間のインターフェイスとして用いられる。具体的にＮＴＢＡ機器は、中央局から、ＩＳＤＮベースの信号を顧客構内全体に送信および受信するための２線送信経路および２線受信経路を有する４線Ｓ０バスへ、２線ＩＳＤＮ信号をマッピングする。
【０００７】
別の伝送方式は、アナログＰＯＴＳ回線またはＳ０バス回線の代わりに、２線ＵＰＮ回線を用いることである。ＵＰＮは、現在のＰＢＸシステムで用いられ、インテリジェントデジタル電話を４線Ｓ０バスの代わりに２本の線を介してＰＢＸに接続できるという利点を有する、デジタル伝送方式である。具体的には、ＵＰＮプロトコルは３８４ｋｂｐｓのデータレートと、データ伝送のためにＡＭＩ符号化を用いる３８ビットフレーム構造とを有する。
【０００８】
デジタル電話のために２線ＵＰＮ回線を有する顧客構内にホームＰＮＡネットワーク信号を供給しようとすると、数々の問題が生じる。具体的には、２線ＵＰＮ回線を用いるＰＢＸシステムは端末機器（たとえばデジタル電話）をスター型構成に接続する。したがって、１つの端末機器から別の端末機器へと伝送されるホームＰＮＡ信号はＰＢＸを通じての伝送中にかなりの信号損失を被るが、これは特にＰＢＸがホームＰＮＡ信号を通過させるように構成されていないからである。加えて、３８４ｋｂｐｓのＵＰＮ信号は、ホームＰＮＡ信号に干渉し得る３８４ｋＨｚベース信号よりも上のいくつかの調波を有する。さらに、ホームＰＮＡ信号は、たとえば７．５ＭＨｚの周波数で伝送されると、ＰＢＸ機器または端末機器に干渉してＵＰＮデジタル信号の信頼できる送受信に対して悪影響を及ぼし得る。２線ＵＰＮ回線上の容量性の影響もまたホームＰＮＡ信号に対し悪影響を及ぼして、２つのネットワークステーション間の有効な伝送距離を制限するおそれがある。
【０００９】
ＰＢＸシステムがホームＰＮＡ信号を搬送できないため、結果としてあらゆるホームネットワークが、用いられている電話機器に基づき制限されてしまうという不都合もまた生じる。具体的にＰＢＸシステムは、ＵＰＮタイプのデジタル電話および従来のアナログ電話が同じＰＢＸ内のそれぞれデジタル回線カードおよびアナログ回線カードに結合され得るにもかかわらず、ＵＰＮタイプのデジタル電話のユーザと従来のアナログ電話のユーザとの間におけるホームＰＮＡ信号の伝達を妨害してしまう。
【００１０】
【発明の概要】
構内交換機（ＰＢＸ）を有し、デジタル回線カードを用いてデジタル回線上にデジタルＵＰＮベースの信号を送り、かつアナログ回線カードを用いてアナログ回線上にアナログ電話信号を送るよう構成された、家庭用電話ネットワークにおいて、コンピュータエンドステーションがデジタル回線に結合されているか、アナログ回線に結合されているかを問わず、コンピュータエンドステーションを相互接続するための構成が必要とされている。
【００１１】
さらに、構内交換機（ＰＢＸ）を有し、ＵＰＮベースの端末機器およびアナログ端末機器に電話信号を送るよう構成された、顧客構内において、ＵＰＮベースの端末機器とアナログ端末機器との間でのホームＰＮＡ信号の伝送を最適化する態様で、家庭用電話ネットワークのホームＰＮＡ信号を伝送するための構成が必要とされている。
【００１２】
これらおよびその他の要求は、構内交換機とそれぞれの端末機器ユニットとの間で電話信号を伝送するための２線バスを有する顧客構内システムが、デジタルＰＢＸ部と２線バスのデジタル端末機器ユニット端子端とに接続されてデジタル端末機器ユニットおよびデジタルＰＢＸ部からホームＰＮＡ信号を分離するためのローパスフィルタと、デジタル端末機器のための２線バスおよびアナログ電話機器のための２線バスにわたりホームＰＮＡ信号をクロスカップルするよう構成されたハイパスフィルタとを含む、この発明により満たされる。
【００１３】
この発明の一局面は、顧客構内電話ネットワークでローカルエリアネットワークを実現する方法を提供する。顧客構内電話ネットワークは、それぞれ端末機器ユニット端子端を有する複数のデジタルおよびアナログ端末機器ユニットと、デジタルＰＢＸ端子端およびアナログＰＢＸ端子端を有する構内交換機（ＰＢＸ）と、複数の２線バスとを有する。２線バスは、デジタルおよびアナログ端末機器ユニット端子端をデジタルＰＢＸ端子端およびアナログＰＢＸ端子端に接続し、それぞれＵＰＮプロトコルデジタル信号およびアナログ電話信号を伝送するよう構成される。この方法は、各々がＵＰＮプロトコルデジタル信号を通過させかつローカルエリアネットワーク信号を排除するよう構成されたローパスフィルタを、対応する２線バスの各デジタルＰＢＸ端子端および各デジタル端末機器端子端に接続することを含み、各２線バスは、対応するデジタルＰＢＸ端子端に接続され、対応する２つの接続されたローパスフィルタ間に第１のノードを有する。この方法はまた、ローカルエリアネットワーク信号を通過させかつＵＰＮプロトコルデジタル信号を排除するよう構成された第１のハイパスフィルタを、対応するデジタルＰＢＸ端子端に接続された２線バスのうち各々のバスの対応する第１のノードにわたり接続することを含む。第２のハイパスフィルタは、ローカルエリアネットワーク信号を通過させかつアナログ電話信号を排除するよう構成され、第１のハイパスフィルタと、アナログＰＢＸ端子端の１つに接続された別の２線バスとの間に接続される。ローカルエリアネットワーク信号は次に、対応する第１のノードでデジタルＰＢＸ端子端に結合された２線バスのうち１本の上の第１のネットワークノードから、アナログＰＢＸ端子端のうち１つに接続された別の２線バスへと伝送される。
【００１４】
ローパスフィルタを、各々のデジタルＰＢＸ端子端および各々のデジタル端末機器端子端に接続することにより、ＵＰＮプロトコルデジタル信号を、ローカルエリアネットワーク信号からの干渉なしに確実に送受信できる。加えてローパスフィルタは、ＵＰＮプロトコルデジタル信号を制限して、より高い周波数のローカルエリアネットワーク信号に歪みのない伝送媒体を提供する。さらに、ハイパスフィルタを２線バスにわたり接続することにより、ネットワークノードがデジタル端末機器ユニットのための２線バスに結合されているか、アナログ端末機器ユニットのための２線バスに結合されているかを問わず、ローカルエリアネットワーク信号は電話信号のクロスオーバなしにＰＢＸを迂回できる。最後に、ローパスフィルタおよびハイパスフィルタは、ＰＢＸ１６およびＵＰＮ端末機器ユニット１４により誘起される容量性の影響を最小限にすることにより、伝送性能を向上させ、２つのネットワークノード間のネットワーク長を著しく増大させることができるよう構成され得る。
【００１５】
この発明の別の局面はコンピュータネットワークを提供する。このコンピュータネットワークは、ＵＰＮプロトコルデジタル電話信号を送受信するよう構成されたデジタルＰＢＸ端子端、およびアナログ電話信号を送受信するよう構成されたアナログＰＢＸ端子端を有する、構内交換機（ＰＢＸ）と、ＵＰＮプロトコルデジタル電話信号を送受信するよう構成されたデジタル端末機器ユニットと、アナログ電話信号を送受信するよう構成されたアナログ端末機器ユニットと、デジタル端末機器ユニットおよびアナログ端末機器ユニットをそれぞれデジタルＰＢＸ端子端およびアナログＰＢＸ端子端に接続するよう構成された複数の２線バスとを含む。ローパスフィルタは、ＵＰＮプロトコルデジタル電話信号を通過させかつコンピュータネットワーク信号を排除するよう構成され、デジタル端末機器ユニットとデジタルＰＢＸ端子端とを接続する２線バスの各端部に結合される。ハイパスフィルタは２線バスを相互結合し、２線バスのうち１本に接続されたネットワークノード間でコンピュータネットワーク信号を通過させる。
【００１６】
この発明のさらなる利点および新規な特徴は、以下の説明で一部示され、以下を検討することにより当業者に一部明らかとなり、またはこの発明の実施によって習得されるであろう。この発明の利点は、前掲の特許請求の範囲で特定的に指し示した方策および組合せにより実現および達成され得る。
【００１７】
添付の図面を参照し、ここで同じ参照番号が付された要素は全体にわたり同様の要素を表わす。
【００１８】
【発明の実施のベストモード】
図１は、この発明の実施例に従う、ＵＰＮベースのデジタル信号およびアナログ電話信号を用いる顧客構内電話ネットワーク１２で実現されたイーサネット（Ｒ）（ＩＥＥＥ８０２．３）ローカルエリアコンピュータネットワーク１０を示すブロック図である。図１に示すように、顧客構内電話ネットワーク１２は、顧客構内機器（ＣＰＥ）とも呼ばれる複数のデジタル端末機器ユニット１４と、アナログ端末機器ユニット１５（たとえばアナログ電話（ＡＰ））と、ＵＰＮプロトコルデジタル電話信号を送受信するためのＵＰＮプロトコル準拠のデジタルＰＢＸ端子端１８、およびアナログ（たとえばＰＯＴＳタイプの）電話信号を送受信するためのアナログＰＢＸ端子端１９を有する、構内交換機（ＰＢＸ）１６と、デジタルＰＢＸ端子端１８およびアナログＰＢＸ端子端１９をそれぞれデジタル端末機器ユニット１４およびアナログ端末機器ユニット１５に接続するよう構成された２線バス２０とを含む。
【００１９】
ローカルエリアコンピュータネットワークは、ホーム・フォン・ネットワーク・アライアンス（Home Phone Network Alliance）に規定のホームＰＮＡプロトコルに従いＩＥＥＥ８０２．３タイプのデータパケットを送受信するよう構成された、たとえばコンピュータワークステーションなどのネットワークノード２２を含む。
【００２０】
ネットワークノード２２間で顧客構内電話ネットワーク１２を介してホームＰＮＡタイプの信号を伝送する従来の試みは、ＰＢＸ１６が７．５ＭＨｚのホームＰＮＡ信号を伝送するよう構成されていないので、不首尾に終わるであろう。加えて、３８４ｋｂｐｓで伝送されるデジタルＵＰＮプロトコル信号は、３８４ｋＨｚのベースバンド周波数を上回る調波を発生し、その結果ホームＰＮＡ信号に干渉してしまう。
【００２１】
開示の実施例に従うと、ローパスフィルタ２４が、各ＰＢＸ端子端１８と、各２線バス２０の各端末機器端子端２６とに接続され、ＵＰＮプロトコルデジタル信号を帯域制限し、ホームＰＮＡネットワーク信号を排除する。具体的には、図２および図３でより詳細に示すように、各ローパスフィルタ２４は、約２ＭＨｚでの−３ｄＢの遮断周波数を有し、減衰が約−１３ｄＢ／オクターブとなるよう構成される。したがって、ローパスフィルタ２４についての２ＭＨｚの遮断周波数により、３８４ｋｂｐｓのＵＰＮプロトコルデジタル信号の実質的にすべての情報が通過でき、一方で、ＵＰＮプロトコルデジタル信号を帯域制限することによって、デジタルＰＢＸ端子端（たとえば１８ａ）に結合されたローパスフィルタ（たとえば２４ａ1）と、デジタル端末機器ユニット端子端（たとえば２６ａ）に結合されたローパスフィルタ（たとえば２４ａ2）との間に位置付けられた接続ノード３０により規定される共用伝送領域内において、不必要な信号の歪みを避けることができる。
【００２２】
さらに、ローパスフィルタ２４についての２ＭＨｚの遮断周波数により、７．５ＭＨｚのホームＰＮＡ信号がＰＢＸ１６またはデジタル電話端末機器ユニット１４に干渉することは確実になくなる。したがってローパスフィルタ２４によって、デジタル端末機器ユニット１４は、接続ノード３０を介し２線バス２０上に伝送されたホームＰＮＡ信号による干渉なしに、ＰＢＸ１６を介しＵＰＮプロトコルデジタル信号を送受信できる。
【００２３】
コンピュータネットワーク１０はまたハイパスフィルタ４０を含み、これらは、コンピュータネットワークホームＰＮＡ信号を、それぞれの接続ノード３０で２線バス２０にわたり、ＰＢＸ１６を迂回して通過させるよう構成される。具体的には、図２で詳細に示すハイパスフィルタ４０は、少なくとも約２ＭＨｚでの−３ｄＢの遮断周波数を有し、ホームＰＮＡネットワーク信号を通過させてＵＰＮプロトコルデジタル信号およびアナログＰＯＴＳ信号を排除する。たとえば図２は、ハイパスフィルタ４０ａがインダクタ４２（Ｌ９）を有する例を示し、このインダクタは、フィルタノードとも呼ばれる第１のインダクタ端子端４４ａおよび第２のインダクタ端子端４４ｂを有する。ハイパスフィルタ４０ａはまた、各２線バス２０につき、第１の接続キャパシタ４６ａおよび第２の接続キャパシタ４６ｂを含み、これらは、第１の線５０ａおよび第２の線５０ｂをそれぞれ第１のインダクタ端子端４４ａおよび第２のインダクタ端子端４４ｂに接続するよう構成される。たとえば、キャパシタ４６ａ（Ｃ３）は２線バス２０ａの第１の線５０ａを第１のインダクタ端子端４４ａに接続し、一方でキャパシタ４６ａ（Ｃ４）は２線バス２０ｂの第１の線５０ａを第１のインダクタ端子端４４ａに接続する。同様にキャパシタ４６ｂ（Ｃ５）は、２線バス２０ａの第２の線５０ｂを第２のインダクタ端子端４４ｂに接続し、一方でキャパシタ４６ｂ（Ｃ６）は、２線バス２０ｂの第２の線５０ｂを第２のインダクタ端子端４４ｂに接続する。
【００２４】
ハイパスフィルタ４０ｃはハイパスフィルタ４０ａと類似の構造を有し、キャパシタ４６ｃ（Ｃ１３およびＣ１４）はそれぞれ、２線バス２０ｃおよび２０ｄの第１の線５０ａを第１のインダクタ端子端４４ｃに接続する。キャパシタ４６ｄ（Ｃ１５およびＣ１６）はそれぞれ、２線バス２０ｃおよび２０ｄの第２の線５０ｂを第２のインダクタ端子端４４ｄに接続する。さらに、キャパシタ４６ｃおよび４６ｄならびに対応するインダクタ４２（Ｌ１５）は、２線バス回線２０ｃおよび２０ｄにより遭遇されるインピーダンスをアナログ端子端１９の入力インピーダンスと確実に一致させることによりキャパシタンスおよび反射を最小限にするよう選択される。必要であれば、任意のローパスフィルタ２４ｃおよび２４ｄがアナログ端子端１９に追加されて、他ではホームＰＮＡ信号により遭遇され得るフロントエンドキャパシタンスを減少させることができる。
【００２５】
接続キャパシタ４６ａ、４６ｂ、４６ｃおよび４６ｄの対応する組を通じハイパスフィルタ４０ａまたは４０ｃに接続されるべき２線バス２０の数は、フィルタ要素の時定数（τ）およびインピーダンスと、ホームＰＮＡ信号の周波数とに依存する。
【００２６】
ハイパスフィルタ４０ｂはキャパシタ４６ｅ（Ｃ７およびＣ９）を有し、これらは、それぞれ第１のインダクタ端子端４４ａおよび４４ｃをインダクタ（Ｌ１０）の第１のインダクタ端子端４４ｅに接続するよう構成される。同様に、キャパシタ４６ｆ（Ｃ８およびＣ１０）は、それぞれ第２の端子端４４ｂおよび４４ｄをインダクタ（Ｌ１０）の第２のインダクタ端子端４４ｆに接続するよう構成される。キャパシタＣ７、Ｃ８、Ｃ９、およびＣ１０ならびにインダクタＬ１０は、デジタル電話機器のための２線バスに結合されたハイパスフィルタ４０ａにより誘起されたインピーダンスに一致するよう選択される。したがって、ハイパスフィルタ４０ｂは、デジタル電話機器用およびアナログ電話機器のための２線バスにわたり伝送を行なうようホームネットワーク信号をクロスカップルし、一方で、ネットワークノード２２ａ−２２ｄ間での伝搬中にホームＰＮＡ信号により遭遇され得る伝送回線インピーダンスへの悪影響を最小限にする。
【００２７】
図３は、端末機器ユニット１４と、２線バス２０に接続されたホームネットワークノード２２とを示す。具体的に、端末機器１４はローパスフィルタ２４を通じて２線バス２０に接続され、これによってＵＰＮプロトコルデジタル電話信号は確実に２ＭＨｚへと帯域制限され、かつ７．５ＭＨｚのホームＰＮＡ信号が端末機器１４に到達することは確実になくなる。図３に示すように、ネットワークノード２２は接続ノード３０に直接結合されて、ローパスフィルタ２４の間でホームＰＮＡネットワーク信号を伝送する。こうして、接続ノード３０上の帯域制限されたＵＰＮ信号はネットワークノード２２に対し悪影響を及ぼさない。ホームＰＮＡカードを有するコンピュータ２２からのＥＭＩなどの高い雑音がある場合、ハイパスフィルタを用いてノード３０で遭遇される雑音を最小限にすることができる。
【００２８】
最も実用的で好ましい実施例と現在考えられているものでこの発明を説明したが、この発明は開示の実施例に制限されるものではなく、逆に、前掲の特許請求の範囲の精神および範囲内に含まれるさまざまな変形および均等の構成を包含することを意図したものであると理解すべきである。
【図面の簡単な説明】
【図１】  この発明の実施例に従う、ＵＰＮベースの配線およびＰＯＴＳベースの配線を有する顧客構内で実現された、コンピュータネットワークを例示するブロック図である。
【図２】  図１のデジタルＰＢＸ端子端およびアナログＰＢＸ端子端に結合された、ローパスフィルタおよびハイパスフィルタを詳細に例示する図である。
【図３】  それぞれ端末機器ユニット、およびネットワークノードについての、ローパスフィルタ、および２線ＵＰＮバス上の結合ノードを例示する図である。
【図１】
0004619610.tif 000002
【図２】
0004619610.tif 000003
【図３】
0004619610.tif 000004